(57)【要約】【課題】各種形態の屋根上にソーラーパネル等を支持する桟を設置すること。【解決手段】開口部が対向する横断面略コ字形状の左右対称の一対の長尺状の枠部材10,10と、これらの枠部材10,10を連結する連結部材12と、これらの枠部材10,10を屋根上面に固定する固定金具とから成る。連結部材12は両枠部材10, 10間の間隔を所定間隔に維持して固定できる。固定金具は、枠部材10,10の下端部を支持する受け金具14と、枠部材10,10の内側から前記受け金具14に固定される押え金具16とから成る。屋根を固定する剣先ボルトB等の上向き固定ボルトを受け金具14の中央の挿通孔14hに挿通させ、この受け金具14に両枠部材10, 10を載置し、これらの枠部材10,10の内側から押え金具16を配置して押え金具16の中央の挿通孔16hに前記固定ボルトを挿通し、この固定ボルトにナット部材25螺着して両枠部材10,10を固定できる。【選択図】図２
2014015794.tif 000002
【特許請求の範囲】
【請求項１】
ソーラーパネル等の面状物品を各種形状の屋根上又は地面の土台上等の被設置面上に設置するための架台として使用する縦桟又は横桟であって、
この桟は、開口部が対向する横断面略コ字形状の一対の長尺状の枠部材と、これら一対の枠部材を連結する連結部材と、これらの枠部材を被設置面上に固定する固定金具とからなり、
連結部材は、前記一対の枠部材の長手方向の複数の位置でその長手方向と直交する方向に両枠部材間の間隔を所定間隔に維持して相互に連結固定できるものからなり、
固定金具は、前記一対の枠部材の下端部を支持する受け金具と、前記枠部材の内側から前記受け金具と相互に固定されて前記一対の枠部材の下端部を挟持して固定できる押え金具とからなり、
前記被設置面上に存在する剣先ボルト等の上向き固定ボルトや支持ボルトを受け金具に設けられた挿通孔に挿通させ、この受け金具に前記一対の枠部材を載置した後、これら一対の枠部材の内側から押え金具を配置して押え金具に設けられた挿通孔に前記固定ボルトや支持ボルトを挿通し、これらのボルトにナット部材を螺着することにより前記一対の枠部材が被設置面上に固定されることを特徴とする面状物品の架台用桟。
【請求項２】
前記被設置面上に存在する上向き固定ボルトや支持ボルトを被覆する被覆部とこの被覆部から上方に向かって突設された螺子棒からなるジョイント部材を、前記固定ボルトや支持ボルトに連結し、このジョイント部材の螺子棒に前記受け金具と押え金具を固定できるようにしたことを特徴とする請求項１に記載の面状物品の架台用桟。
【請求項３】
ジョイント部材の被覆部の下端面に防水材を塗布又は接合し、被設置面とジョイント部材との間の水密性を保持させたことを特徴とする請求項２に記載の面状物品の架台用桟。
【請求項４】
前記ジョイント部材と屋根部表面との間にカバー部材を更に設け、このカバー部材により被設置面に存在する上向き固定ボルトや支持ボルトに螺着されたナット部を被覆でき、ジョイント部材の被覆部が前記固定ボルトや支持ボルトの螺子部と螺合できるようにしたことを特徴とする請求項２又は３に記載の面状物品の架台用桟。
【請求項５】
カバー部材の裏面に防水材を塗布又は接合し、被設置面とカバー部材との間の水密性を保持させたことを特徴とする請求項４に記載の面状物品の架台用桟。
【請求項６】
前記架台用桟が折板屋根の突条部の流れ方向に配設される縦桟であって、この縦桟の一対の枠部材の下端の下方延長部を鋭角に折曲して折板屋根の傾斜面と接合させ、折板屋根の傾斜面上に一対の枠部材の下方延長部が支持され、
押え金具は、その横断面形状が下端開口の略コ字形状を有してその長手方向が折板屋根の流れ方向と直交する方向に配置され、その両側の下向き延長部が折板屋根の突条部の頂部形状に適合するように形成され、
これにより、受け金具を使用せずに、押え金具により一対の枠部材が屋根上に固定されることを特徴とする請求項１に記載の面状物品の架台用桟。
【請求項７】
前記架台用桟の一対の枠部材の下端の下方延長部の折曲角度を鋭角にし、受け金具の横断面を前記一対の枠部材の下端部分に適合するようにその両端部に前記下方延長部を受ける受部を設け、  
更に、押え金具の両端部も前記一対の枠部材の下方延長部及び受け金具の両端の受部に適合する形状に形成したことを特徴とする請求項１乃至３の何れか１項に記載の面状物品の架台用桟。
【請求項８】
前記架台用桟が折板屋根の突条部の流れ方向に配設される縦桟であって、この縦桟の一対の枠部材の下端の下方延長部を鋭角に折曲し、
受け金具は、前記縦桟の両側の下方延長部と適合するようにその両側に受部を形成し、
この受け金具の横断面形状を折板屋根の突条部の頂部形状に合致させ、
押え金具は、その横断面形状が下端開口の略コ字形状を有してその長手方向が折板屋根の流れ方向と直交する方向に配置され、その両側の下向き延長部が折板屋根の突条部の頂部形状に適合するように形成され、
これにより、受け金具が折板屋根上に載置された状態で、押え金具により一対の枠部材が屋根上に固定されることを特徴とする請求項７に記載の面状物品の架台用桟。
【請求項９】
前記連結部材は、一対の枠部材の間隔距離を広狭自在に設定し、両枠部材を固定できることを特徴とする請求項１乃至８の何れか１項に記載の面状物品の架台用桟。
【請求項１０】
前記受け金具の両側に上向きに延長する上方延長部を設け、これらの上方延長部が両枠部材の両側面部と接合して両枠部材を支持し、更に、これらの上方延長部と枠部材の側面部とを貫通するようにボルト・ナット等の固定手段を配設し、枠部材がその長手方向に滑動しないようにしたことを特徴とする請求項１乃至５の何れか１項に記載の面状物品の架台用桟。
【発明の詳細な説明】
【技術分野】
【０００１】
本発明は、折板屋根等の各種形状の屋根上にソーラーパネル（太陽電池パネル）等の面状物品を取り付け、固定するために使用する支持固定用架台となる縦桟又は横桟に関するものである。
また、この桟は、屋根上ばかりでなく、地面上に設けられた土台や各種の構築物の上にも設置可能なものであるが、以下説明の都合上、屋根上のものを中心に説明する。
【背景技術】
【０００２】
従来より、折板はぜ継ぎ式、折板重ね式、折板接合式等各種の折板屋根や、波形スレート屋根等々、各種のタイプの屋根が存在するが、本発明においては、これらの各種形状の屋根上にソーラーパネル等の面状物品を設置固定するための支持固定用架台として使用する縦桟又は横桟に関するものであるが、従来のものとしては以下の特許文献に記載のものを挙げることができる。
【０００３】
尚、ここでいう「縦桟」というのは、屋根の流れ方向に配置される縦枠部材を意味し、横桟というのはこの屋根の流れ方向と直交する方向に配設される横枠部材を意味するが、陸屋根等の平面状の屋根においては、その設置方向は特定されず、自由な方向に配置できるものである。即ち、本発明に係る架台用桟は、縦・横等自由に設置できるものである。
また、この縦桟又は横桟は、その最低２本のものを平行に配列して、これら２本の平行に配列された桟の上に、太陽電池パネルを順次並べて載置して固定できるものである。
【０００４】
下記特許文献に記載のソラーパネル取着用架台の固定金具にあっては、タイトフレームの頂部より突設する固定ボルトに、縦材の下辺を直接螺着する施工と異なり、タイトフレームに既設のボルトを介して架台を取付ける固定金具を可動可能にして固定ボルトの芯ずれを吸収できるようにしたものである。
【０００５】
その構成は、タイトフレームと折版屋根板材の頂部より突設する固定ボルトを貫通する貫通孔付きの載置部を有し、この載置部の左端部と右端部とを上方に折曲する左立上部と右立上部を形成し、これらの左右の両立上り部の端部を夫々外側方向に延設して孔付き左側支承部と孔付き右側支承部とを形成し、前記左右両側支承部にそれぞれボルトを突設させたものから成る。この固定金具によりソーラーパネル取着用架台を固定できるようにしたものである。
【先行技術文献】
【特許文献】
【０００６】
【特許文献１】特開２０１１−１０６０９４号公報
【発明の概要】
【発明が解決しようとする課題】
【０００７】
上記従来の固定金具においては、この金具によってソーラーパネル等を支持する架台を固定するものであり、その固定される架台としては、チャンネル材等が例示されている。
勿論、この支持固定される架台としては、上記チャンネル材ばかりでなく、上方に溝条部が形成された長条枠体、或いはＨ型等の型枠部材等が使用され、これらの枠部材にソーラーパネルを載置し、各種の固定手段により固定されるものである。
【０００８】
本発明においては、先ず、上記従来例と同様に、各種折板屋根を支持固定するタイトフレームを介して螺着される剣先ボルト等の上向き固定ボルト等を利用するものであるが、この固定ボルト等を利用して特定の形態の枠部材を創案し、この枠部材を前記固定ボルト等に特定の固定金具により固定できるようにすることをその第一の課題とする。
次に、本発明においては、上記枠部材を従来のものよりもその重量を低減化し、作業効率を向上させることもその課題となる。
【０００９】
また、前記剣先ボルト等の上向きの固定ボルト又は支持ボルトが設けられた屋根であれば、どのような屋根にも適用できるようにすること。即ち、重ね式折板屋根、接合式又は嵌合式折板屋根、或いはスレート屋根等の各種のタイプの屋根にも適用できること。
はぜ式折板屋根にあっても、そのはぜ部に特別な接続部材を取り付け、この接続部材から上方に延長する螺子棒を設けておけば、適用することができるものとなる。
更に、各種屋根に設けられている固定ボルト等の位置は、それぞれ異なっているが、このように異なる位置に配置された固定ボルトに容易に対応できるようにすることも本発明の課題となる。
【００１０】
また、面状物品の設置及び支持に際しても、サイズの異なる面状物品に対し容易に対応でき、その固定位置を柔軟に変更できる固定用桟を提供すること、面状物品を並列する際に、隣接する面状物品同士をも適切に、より相応しく固定できるようにすることも本発明の課題である。
勿論、取付容易化、設置作業の省力化にも寄与することも本発明の課題となり、桟自体における雨水等の滞留をも防止し、防錆効果を有するものを提供することも本発明の課題となる。
【課題を解決するための手段】
【００１１】
上記課題を解決するために、本発明の第１のものは、ソーラーパネル等の面状物品を各種形状の屋根上又は地面の土台上等の被設置面上に設置するための架台として使用する縦桟又は横桟であって、この桟は、開口部が対向する横断面略コ字形状の一対の長尺状の枠部材と、これら一対の枠部材を連結する連結部材と、これらの枠部材を被設置面上に固定する固定金具とからなり、連結部材は、前記一対の枠部材の長手方向の複数の位置でその長手方向と直交する方向に両枠部材間の間隔を所定間隔に維持して相互に連結固定できるものからなり、固定金具は、前記一対の枠部材の下端部を支持する受け金具と、前記枠部材の内側から前記受け金具と相互に固定されて前記一対の枠部材の下端部を挟持して固定できる押え金具とからなり、前記被設置面上に存在する剣先ボルト等の上向き固定ボルトや支持ボルトを受け金具に設けられた挿通孔に挿通させ、この受け金具に前記一対の枠部材を載置した後、これら一対の枠部材の内側から押え金具を配置して押え金具に設けられた挿通孔に前記固定ボルトや支持ボルトを挿通し、これらのボルトにナット部材を螺着することにより前記一対の枠部材が被設置面上に固定されることを特徴とする面状物品の架台用桟である。
【００１２】
ここで「横断面略コ字形状の一対の枠部材」における「横断面略コ字形状」というのは、その開口部が互いに向き合うように横方向を向き、上方で横方向に延長する上方延長部と下方で横方向に延長する下方延長部と、これらの間を連結する側面部からなる断面コ字形状を有するものを基本的には意味するが、上方延長部の縁部が下方に折曲していてもよく、或いは、下方延長部が斜め上方に折曲して、即ち、側面部との成す角度が鋭角となるように折曲し延長するものであってもよく、完全にコ字形状ではなくともよく、前記のような各種形状のものを含む意味である。
【００１３】
本発明の第２のものは、上記第１の発明において、前記被設置面上に存在する上向き固定ボルトや支持ボルトを被覆する被覆部とこの被覆部から上方に向かって突設された螺子棒からなるジョイント部材を、前記固定ボルトや支持ボルトに連結し、このジョイント部材の螺子棒に前記受け金具と押え金具を固定できるようにしたことを特徴とする面状物品の架台用桟である。
【００１４】
本発明の第３のものは、上記第２の発明において、ジョイント部材の被覆部の下端面に防水材を塗布又は接合し、被設置面とジョイント部材との間の水密性を保持させたことを特徴とする面状物品の架台用桟である。
【００１５】
本発明の第４のものは、上記第２又は第３の発明において、前記ジョイント部材と屋根部表面との間にカバー部材を更に設け、このカバー部材により被設置面に存在する上向き固定ボルトや支持ボルトに螺着されたナット部を被覆でき、ジョイント部材の被覆部が前記固定ボルトや支持ボルトの螺子部と螺合できるようにしたことを特徴とする請求項２又は３に記載の面状物品の架台用桟である。
【００１６】
本発明の第５のものは、上記第４の発明において、カバー部材の裏面に防水材を塗布又は接合し、被設置面とカバー部材との間の水密性を保持させたことを特徴とする面状物品の架台用桟である。
【００１７】
本発明の第６のものは、上記第１の発明において、前記架台用桟が折板屋根の突条部の流れ方向に配設される縦桟であって、この縦桟の一対の枠部材の下端の下方延長部を鋭角に折曲して折板屋根の傾斜面と接合させ、折板屋根の傾斜面上に一対の枠部材の下方延長部が支持され、押え金具は、その横断面形状が下端開口の略コ字形状を有してその長手方向が折板屋根の流れ方向と直交する方向に配置され、その両側の下向き延長部が折板屋根の突条部の頂部形状に適合するように形成され、これにより、受け金具を使用せずに、押え金具により一対の枠部材が屋根上に固定されることを特徴とする面状物品の架台用桟である。
【００１８】
本発明の第７のものは、上記第１乃至第３の何れか発明において、前記架台用桟の一対の枠部材の下端の下方延長部の折曲角度を鋭角にし、受け金具の横断面を前記一対の枠部材の下端部分に適合するようにその両端部に前記下方延長部を受ける受部を設け、  
更に、押え金具の両端部も前記一対の枠部材の下方延長部及び受け金具の両端の受部に適合する形状に形成したことを特徴とする面状物品の架台用桟である。
【００１９】
本発明の第８のものは、上記第７の発明において、前記架台用桟が折板屋根の突条部の流れ方向に配設される縦桟であって、この縦桟の一対の枠部材の下端の下方延長部を鋭角に折曲し、受け金具は、前記縦桟の両側の下方延長部と適合するようにその両側に受部を形成し、この受け金具の横断面形状を折板屋根の突条部の頂部形状に合致させ、押え金具は、その横断面形状が下端開口の略コ字形状を有してその長手方向が折板屋根の流れ方向と直交する方向に配置され、その両側の下向き延長部が折板屋根の突条部の頂部形状に適合するように形成され、これにより、受け金具が折板屋根上に載置された状態で、押え金具により一対の枠部材が屋根上に固定されることを特徴とする面状物品の架台用桟である。
【００２０】
本発明の第９のものは、上記第１乃至第８の何れかの発明において、前記連結部材は、一対の枠部材の間隔距離を広狭自在に設定し、両枠部材を固定できることを特徴とする面状物品の架台用桟である。
【００２１】
本発明の第１０のものは、上記第１乃至第５の何れかの発明において、前記受け金具の両側に上向きに延長する上方延長部を設け、これらの上方延長部が両枠部材の両側面部と接合して両枠部材を支持し、更に、これらの上方延長部と枠部材の側面部とを貫通するようにボルト・ナット等の固定手段を配設し、枠部材がその長手方向に滑動しないようにしたことを特徴とする面状物品の架台用桟である。
【発明の効果】
【００２２】
本発明の第１のものにおいては、先ずその架台用桟は、異なる形式の屋根上に固定することができる。
即ち、各種の折板屋根やスレート屋根等に存在する上向きの固定ボルトや支持ボルトが設けられた屋根であれば、どのような形式の屋根にも取り付けが可能となる。
また既に述べた通り、これらの上向き固定ボルトや支持ボルトが存在する他の地上設置物にも同様に設置可能となる。
屋根の流れ方向或いはこれと直交する方向の何れの方向にも取り付け固定することができる。
【００２３】
長尺状の枠部材が左右一対のものからなり、つまり、架台用桟は２つの分割された枠部材からなり、これらが連結部材により所定間隔を維持して連結固定されている関係上、桟の上端面と下端面にはその長手方向に長条の溝条部が形成される。
このために、その下端面において、この長手方向の溝条部の何れの部位においても、屋根部に存在する上向き固定ボルト等と適合させることができる。
即ち、屋根部に設けられている固定ボルト等と極めて都合よく相互に適合させることができ、その係止位置も長手方向の何れの位置にも固定することができるのである。
【００２４】
更に換言すれば、この架台用桟は、各種の屋根上に所望の位置に所望の方向に自由に取り付け固定することができるのである。
また、これら一対の枠部材は、従来のものと比較すれば、その重量をより軽量化したものとなる。というのも、その断面形状がほぼ同様のものであれば、本発明においては下端面には、その長手方向の端部から端部まで溝条部が形成され、この部分の素材を無くすことができるからである。
【００２５】
一対の枠部材を相互に固定する連結部材は、予め連結固定しておいてもよいが、設置現場で組立固定することも可能であり、その際にはこれら枠部材の体積を運搬時小さくすることもでき、その取り扱いを容易となし、運搬時や施工時等に便利なものとなる。
そして、本発明においては、両枠部材を連結部材により所望間隔に設定し固定することができ、左右一対の枠部材の間隔を広狭自在に適宜調整し、操作することができるために、屋根部の形態及び取り付けられるソーラーパネル（面状物品）の大きさや形態に合致させてその間隔を設定することができるという大きな効果を発揮するものである。
これにより、枠部材の断面性能を操作できることとなるのである。
【００２６】
また、本発明においては、枠部材が２分割されており、従来の桟と異なり、下端面が閉鎖されておらず、桟の内部に雨水等が滞留する心配もない。
これにより、桟自体の防錆、防腐食にも寄与するものとなる。
【００２７】
本発明の第２のものは、上記第１の発明において、ジョイント部材を付加したものであるが、このジョイント部材は、前記各種形状の屋根を固定する上向き固定ボルトや支持ボルトを被覆する被覆部とこの被覆部から上方に向かって突設された螺子棒から形成されたものであり、前記屋根部の固定ボルト等に連結し、このジョイント部材の螺子棒に前記受け金具と押え金具を固定できるようにしたものである。
【００２８】
屋根部を固定する固定ボルト等としては、例えばタイトフレームに螺着される剣先ボルト等を例示することができるが、この剣先ボルトの先端部が短い場合、錆び付いている場合、或いは防水剤等が塗布されていたりする場合があり、この場合には、この剣先ボルトの螺子部に前記受け金具や押え金具を螺着することができない場合がある。
このために、本発明においては、上記ジョイント部材を付加し、このジョイント部材の上端部に突設された螺子棒に前記受け金具と押え金具を螺着できるようにしたものである。
このようにして、ジョイント部材を設けることにより、健全な螺子（支持）部に置き換えることができるために安心・安全な構造となる。
【００２９】
本発明の第３のものにおいては、ジョイント部材の被覆部の下端面に防水材を塗布又は接合し、被設置面とジョイント部材との間の水密性を保持させたものである。
【００３０】
本発明の第４のものにおいては、上記発明と同様に、更にカバー部材を付加したものであり、このカバー部材の存在により剣先ボルト等の固定ボルト等に螺着されたナット部を被覆して、ジョイント部材の被覆部を前記固定ボルトの螺子部に容易に螺着できるようにしたものである。
その効果は、前記第２の発明と同様である。
【００３１】
本発の第５のものにおいては、上記第４の発明に係るカバー部材の裏面に防水材を塗布又は接合し、被設置面とカバー部材との間の水密性を保持させたものである。
【００３２】
本発明の第６のものにおいては、上記第１の発明において、架台用桟が折板屋根の突条部の流れ方向に配設される縦桟であって、この縦桟の一対の枠部材の下端部の下方延長部の内角を鋭角に折曲して折板屋根の傾斜面と接合するようにし、折板屋根の傾斜面上に一対の枠部材の下端部が支持され、押え金具は、その横断面形状が下端開口の略コ字形状を有してその長手方向が折板屋根の流れ方向と直交する方向に配置され、その両側の下向き延長部が折板屋根の突条部の頂部形状に適合するように形成することにより、受け金具を使用せずに、押え金具のみにより一対の枠部材が屋根上に固定されるようにしたものである。
【００３３】
これにより、本発明に係る架台用桟は、折板屋根の山形の両傾斜面の長手方向にその下端部の下方延長部が接合することなり、一対の枠部材の両下端部が折板屋根の流れ方向に線状に支持されることとなり、ソーラーパネル等の面状物品の荷重が屋根部の全体に付加されることとなり、屋根部への加重負担が軽減される（枠部材の設置部全体で負荷が分散される）こととなる。
【００３４】
本発明の第７のものにおいては、上記第１乃至第３のそれぞれの発明において、架台用桟の一対の枠部材の下端部の下方延長部を鋭角に折曲し、受け金具の横断面を前記一対の枠部材の下端部分に適合するようにその両端部に前記下方延長部を受ける受部を設け、且つ、押え金具の両端部も前記一対の枠部材の下方延長部及び受け金具の両端の受部に適合する形状に形成したものであって、枠部材、受け部材及び押え部材の他の実施可能な形態を特定したものである。
【００３５】
本発明の第８のものにおいては、前記第６の発明と同様に、架台用桟が折板屋根の突条部の流れ方向に配設される縦桟であって、この縦桟の一対の枠部材の下端の下方延長部を鋭角に折曲し、受け金具は、前記縦桟の両側の下方延長部と適合するようにその両側に受部を形成し、この受け金具の横断面形状を折板屋根の突条部の頂部形状に合致させ、押え金具は、その横断面形状が下端開口の略コ字形状を有してその長手方向が折板屋根の流れ方向と直交する方向に配置され、その両側の下向き延長部が折板屋根の突条部の頂部形状に適合するように形成され、これにより、受け金具が折板屋根上に載置された態様で、押え金具により一対の枠部材が屋根上に固定されるのである。
従って、受け金具は、折板屋根の突条部の頂部に載置された状態で、枠部材を支持することとなり、受け金具において面による支持となり、屋根部に負荷される荷重が点での支持でなく、面での支持となり、上記第６の発明同様に屋根に対する荷重負担が軽減される。
【００３６】
本発明の第９のものにおいては、前記連結部材が一対の枠部材の間隔距離を広狭自在に設定し、両枠部材を固定できることを明確にしたものである。
これにより、適宜長さの連結部材を使用することにより両枠部材の間の間隔距離を所望の間隔に維持し固定することができることとなる。
また、この具体的な構成としては種々のものが考えられ、金属製筒体形状のスペーサとボルト・ナットによる締着、その他板金などのカチコミ式やハメコミ式の金具や樹脂成型品・アルミ成形品など各種あり、又は両端面に成形キャップを嵌め込んでの幅寸法の確保をするもの等々各種のものが可能となる。
【００３７】
本発明の第１０のものにおいては、前記受け金具の形態をより限定し、即ち、その両側に上向きに延長する上方延長部を設け、これらの上方延長部が両枠部材の両側面部と接合して両枠部材を支持し、更に、これらの上方延長部と枠部材の側面部とを貫通するようにボルト・ナット等の固定手段を配設して固定できるようにしたものである。
これにより、枠部材がその長手方向に滑動してしまわないようにしたものである。
【図面の簡単な説明】
【００３８】
【図１】本発明の第１実施形態に係る一対の枠部材とその連結部材を示し、その（Ａ）が斜視図、その（Ｂ）が拡大横断面図である。
【図２】本発明に係る架台用桟の第１実施形態の分解説明図である。
【図３】上記第１実施形態を正面側から見た概念説明図であり、分解状態と固定状態を同時に図示しており、その左側が分解状態を、その右側が固定状態を示している。
【図４】本発明の第２実施形態を図示しており、その（Ａ）が分解斜視図、その（Ｂ）が側面図、その（Ｃ）が正面図である。
【図５】本発明の第３実施形態を図示しており、その（Ａ）が分解斜視図、その（Ｂ）が側面図、その（Ｃ）が正面図である。
【発明を実施するための形態】
【００３９】
以下、添付の図面と共に本発明の実施形態について説明する。
図１は、本発明の第１実施形態に係る一対の枠部材とその連結部材を示し、その（Ａ）が斜視図、その（Ｂ）が拡大横断面図である。
本発明に係るソーラーパネル等の面状物品の架台用桟においては、この図１に示す一対の枠部材１０、１０と、これらの枠部材１０、１０を所定間隔に維持して連結固定する連結部材１２がその第一の特徴的構成部材となる。
【００４０】
この一対の枠部材１０、１０は、それぞれ横断面が略コ字形状を有し、その開口部が対向するように左右対称形に形成されている。
勿論、これらの枠部材１０、１０は、完全に左右対称でなく、多少異なった形状であってもよい。
またここでいう、略コ字形状というのは、図１（Ｂ）から解る通り、その開口部が互いに向き合うように横方向を向き、上方の上方延長部１０ｕと下方の下方延長部１０ｓを有し、上方延長部１０ｕはその縁部が下方に折曲しており、必ずしも正確にコ字形状ではないが、このような形態をも含む意味である。
また、他の実施形態として後に説明するが、下方延長部１０ｓが少し斜め上方に向かって折曲して、枠部材１０の側面部１０ｙとの成す角度が鋭角となるものであってもよいのであり、これらの形態をも含む意味である。
【００４１】
これら一対の枠部材１０、１０を所定間隔を維持して相互に連結・固定するのが連結部材１２であり、枠部材１０の長さにもよるがその長手方向で最低２箇所に設けられていればよい。
この連結部材１２の構成は、図には表れていないが、ボルト・ナットの中央部に金属製円筒形状のスペーサ部材１２ｓを配置したものを例示することができる。
【００４２】
勿論のこととして、枠部材１０の側面部１０ｙに設けられている挿通孔の内径よりもこのスペーサ部材１２ｓの外径は大きいものを使用する。
尚、この所定間隔を維持するためには、上記金属製円筒形状のスペーサ部材に限らず、板金などでのカチコミ（ハメコミ）金具や樹脂製・アルミ製などの金具や両先端へのキャップやバネ状の部材など様々な部材にて設計変更することが可能である。
【００４３】
このスペーサ部材１２ｓを一対の枠部材１０、１０の間に配置してボルト・ナットにより固定することにより、これら一対の枠部材１０、１０は一定の間隔をもって連結され、固定される。
また、このスペーサ部材１２ｓとして長さの異なるものを複数用意しておけば、そのスペーサ部材の１つを選択して使用することにより、両枠部材の間隔を所望の間隔に設定することができる。
勿論、この連結部材としては、ボルト・ナット以外のその他の形態のものを採用することができる。
【００４４】
枠部材１０の長手方向長さは、必要に応じて適宜設定することができ、これら一対の枠部材１０、１０の上面に形成された長条の溝条部１０ｍに所定の固定金具を取り付けてソーラーパネル（面状物品）の枠部を固定することができるのである。
ソーラーパネルの枠部を固定する固定金具としては各種のものがあるが、上記溝条部１０ｍの内部に配置するスライド金具とこのスライド金具に固定されるパネル枠部固定金具を用いて、枠部材１０の所望の位置でソーラーパネルの枠部を固定することができるのである。
【００４５】
本発明では、ソーラーパネル等の面状物品の架台を構成する縦桟又は横桟に関するものであるため、上記ソーラーパネルの枠部を固定する枠部固定金具の説明は省略するが、上述した通り、本発明に係る架台用桟を最低２本平行に配置して、これら２本の桟に掛け渡すようにソーラーパネルを順次並べて載置し、枠部固定金具によって固定することができるのである。
【００４６】
図２は、本発明に係る架台用桟の第１実施形態の分解説明図である。
本発明に係る架台用桟は、上述した一対の枠部材１０、１０と、これらを連結固定する連結部材１２と、枠部材１０、１０の下端部を受ける受け金具１４と、受け金具１４の上方で、枠部材１０の下端の下方延長部１０ｓ、１０ｓを間に介在させて固定する押え金具１６とから構成される。
【００４７】
また、この実施形態では、上記構成部材に加えて、折板屋根Ｓが固定される剣先ボルトＢの部分を被覆するカバー部材２０と、剣先ボルトＢを被覆し或いは剣先ボルトＢに螺合されるジョイント部材２２を利用している。
カバー部材２０は、折板屋根Ｓの突条部Ｔの頂部の山型の形状に合致するように折曲された金属製薄板状のものからなり、その裏面にはクッション材或いは防水シート等を接合するのも自由である。
【００４８】
このようにカバー部材２０の裏面に防水材を塗布したり、接合することは止水効果を向上させるために特に好ましいものである。
同様に、ジョイント部材２２の下端面にも防水材を塗布し又は接合して、止水効果を発揮させることが可能である。
防水材としては、各種のものを使用することができるが、ブチルゴム系、ＥＰＤＭ、フェルト系、アスファルト系のものを挙げることができる。
これらのシート状のものを貼り付けたり、練り状のものを塗布したりすることができる。
或いは、シリコンコーキング材を塗布したり、充填したりして実施することもできる。
【００４９】
カバー部材２０の頂部中央には、挿通孔２０ｈが形成され、剣先ボルトＢの螺子棒が挿通できる。
この図では明瞭に見て取ることは出来ないが、剣先ボルトＢに螺合されたナットが丁度カバー部材２０の頂部で被覆されるように、カバー部材２０の頂部は上方に膨出する形態としている。
これにより、挿通孔２０ｈからは、剣先ボルトＢの螺子棒先端部が上方に突出する状態となる。
【００５０】
この上方に突出した剣先ボルトＢの螺子棒の先端部と螺合するのがジョイント部材２２である。
このジョイント部材２２は、その下方部が円柱形状に形成された固定ボルト被覆部２２ｈと、その上端面から上方に延設された螺子棒２２ｓとから成るものである。
この下方部の固定ボルト被覆部２２ｈの下端面に剣先ボルトＢの螺子棒が螺合できる螺子穴が形成されている。
従って、この固定ボルト被覆部２２ｈを剣先ボルトＢに螺合して、カバー部材２０を固定しつつこのジョイント部材２２が螺着固定される。
【００５１】
本実施形態では、このジョイント部材２２の下端面（底面）に防水材を塗布し又は接合している。このようにすることにより、カバー部材の挿通孔２０ｈからの雨水等の侵入を防止することができるからである。
防水材としては、上記カバー部材の下面に施したものと同様のものを利用することができる。
【００５２】
この防水材は、ジョイント部材２２の下端面に施すのであるが、その際にジョイント部材２２の下端面の中央に設けられた螺子穴の周辺部に円形の窪み部を設け、この窪み部内に防水材を充填することもできるし、この窪み部の周縁の端面部分にのみ防水材を張り付けて実施することもできる。
【００５３】
更に、このジョイント部材の周側面の対向する左右対称部位に凹部２２ｂを２箇所に設けているが、これらの凹部２２ｂにスパナやモンキーレンチ等の手動工具の挟持部を適合させて締付け用の適合部とすることができる。
これらの凹部２２ｂの存在により、ジョイント部材２２を剣先ボルトＢ等の固定ボルトや支持ボルトに強固に締結することができることとなる。
【００５４】
このジョイント部材２２の上方の螺子棒２２ｓに受け金具１４が取り付けられる。
即ち、受け金具１４は、その中央に挿通孔１４ｈが設けられた略矩形形状の金属製板材からなり、その一方の両端縁部が下方に折曲されて下方延長部１４ｋ、１４ｋが設けられ、他方の両端縁部が上方に折曲されて上方延長部１４ｕ、１４ｕが設けられた形態のものである。
【００５５】
従って、挿通孔１４ｈにジョイント部材２２の螺子棒２２ｓを挿通させ、上方延長部１４ｕ、１４ｕの間に前記枠部材１０の下端部である下方延長部１０ｓ、１０ｓの部分を適合させ、その後に枠部材１０の内側から押え金具１６の中央の挿通孔１６ｈに前記螺子棒２２ｓを挿通させ、ナット部材２５を螺着して枠部材１０、１０を受け金具１４と押え金具１６との間に固定することができるのである。
【００５６】
ここで、押え金具１６は、枠部材１０の長手方向にやや長い矩形形状の金属製板材から形成されており、その長手方向の両端部には、下方に折曲した下向き延長部１６ｓ、１６ｓが形成されている。
これらの下向き延長部１６ｓ、１６ｓが一対の枠部材１０、１０の下端の下方延長部１０ｓ、１０ｓ間の間隙に嵌合し、且つ受け金具１４の下方延長部１４ｋ、１４ｋに沿うように又は接合するように重ね合わされるのである。
このような受け金具１４と押え金具１６との構成により、枠部材１０、１０の下端部を良好に挟持し固定することができる
【００５７】
尚、この図２においては、枠部材１０、１０は、折板屋根Ｓの突条部Ｔに沿って、即ち屋根の流れ方向Ｄに沿って配置しているが、受け金具１４を右９０度又は左９０度回転して配置することにより、枠部材１０、１０は、屋根の流れ方向Ｄと直行する方向に配置し設置することができる。
勿論、陸屋根等の平面状の屋根上に設置する際は、その枠部材１０、１０の設置方向は、受け金具１４の方向を適宜変更し設定することにより、３６０度何れの方向にも自由に設置することができるものである。
【００５８】
図３は、上記第１実施形態を正面側から見た概念説明図であり、説明の都合上分解状態と固定状態を同時に図示しており、その左側が分解状態を、その右側が固定状態を示している。
この図から良く解る通り、折板屋根Ｓの側に設けられている剣先ボルトＢを中央の挿通孔に挿通してカバー部材２０を折板屋根Ｓに被覆し、剣先ボルトＢの螺子棒にジョイント部２２の固定ボルト被覆部２２ｈを螺合して取り付け固定し、ジョイント部材２２の上方の螺子棒２２ｓを受け金具１４の中央の挿通孔に挿通し、この受け金具１４の両側の上方延長部１４ｕ、１４ｕ間に枠部材１０、１０を適合させ、その後に両枠部材１０、１０の内側から押え金具１６の中央の挿通孔に前記螺子棒２２ｓを挿通してナット部材２５によって螺着して、枠部材１０、１０が取り付け固定される。この固定された状態が図３の右側の図となる。
この図において、受け金具１４を９０度回転して取り付けることにより、枠部材１０、１０は折板屋根Ｓの流れ方向と直行する方向、即ち図中左右方向に配設することが容易に可能となるのである。
【００５９】
図４は、本発明の第２の実施形態を図示しており、その（Ａ）が分解斜視図、その（Ｂ）が側面図、その（Ｃ）が正面図である。尚、この図においては、図示の都合上、枠部材を短く描いている。
この第２実施形態においては、上記実施形態と異なり、受け金具、ジョイント部材及びカバー部材の存在がない。
【００６０】
枠部材１０、１０は、それぞれその開口部が対面するような横断面略コ字形状を有しているが、下端の下方延長部１０ｓが斜め上向きに折曲されている。即ち、その枠部材１０の側面部１０ｙとの成す角度が鋭角を呈しており、この下方延長部１０ｓ、１０ｓは、それぞれ折板屋根Ｓの突条部Ｔの傾斜面Ｓｋに接合するような形態を有する。
換言すれば、この下方延長部１０ｓ、１０ｓは、折板屋根Ｓの左右の傾斜面Ｓｋの上に載置されるように設置できるのである。つまりその長手方向の全体に渡り、枠部材１０、１０の下端部が折板屋根Ｓ上に載置され支持されるのである。
【００６１】
その後に、押え金具１６により折板屋根Ｓの剣先ボルトＢが設けられている位置で枠部材１０、１０が固定される。
この押え金具１６は、図示した通り、枠部材１０の幅方向に長さの長い金属製板材からなり、その両側縁部に下方に延長する下向き延長部１６ｓ、１６ｓが設けられ、この下向き延長部１６ｓの正面視形状は、その両端部が下方に突出し、丁度折板屋根Ｓの頂部の山型形状に合致する形状としている。
【００６２】
これにより、押え金具１６の中央の挿通孔に剣先ボルトＢを挿通させ、ナット部材２５を螺合して固定することにより枠部材１０、１０が適切に固定されるのである。
ここで、押え金具１６の略中央に設けた挿通孔１６ｈを枠部材１０の幅方向に長い長穴に形成している。
これにより、剣先ボルトＢの取り付け位置において芯ずれがあった場合でも、その芯ずれを吸収することができるのである。
【００６３】
図４（Ｃ）からその固定状態を見て取ることができ、押え金具１６の下向き延長部１６ｓが折板屋根Ｓの頂部の山型の形状に合致して屋根と押え金具１６との間で枠部材１０、１０の下端の下方延長部１０ｓ、１０ｓを適切に固定することができる。
尚、この第２実施形態においては、その枠部材の構成により、折板屋根Ｓの突条部の方向に、即ち流れ方向にのみ設置可能なもので、流れ方向に直交する方向には設置できないものである。
【００６４】
図５は、本発明に係る第３の実施形態を図示しており、その（Ａ）が分解斜視図、その（Ｂ）が側面図、その（Ｃ）が正面図である。前図同様に図示の都合上、この実施形態においてもその枠部材を短く描いている。
この第３実施形態においては、上記第１実施形態と同様の構成であるが、カバー部材、受け金具及び押え金具等の形態が第１実施形態のものと相違する。
【００６５】
カバー部材２０では、その中央部に設けられた挿通孔２０ｈの部分が上方に膨出している。これにより、剣先ボルトＢに螺着されたナット部を被覆することができ、挿通孔２０ｈから剣先ボルトＢの螺子棒の先端部分のみが突出する。
ジョイント部２２の形態は、前記第１実施形態と同じである。
【００６６】
受け金具１４においては、両側の上方延長部１４ｕ、１４ｕの根元部に凹部が形成され、この凹部に枠部材１０の下端の下方延長部１０ｓが適合し、これを受ける受部となる。つまり、枠部材１０の下方延長部１０ｓは、斜め上向きに折曲されており、枠部材１０の側面部１０ｙとの成す角度が鋭角となっており、この形状に合致するように受け金具１４の両側の上方延長部１４ｕ、１４ｕ及びその根元部の形態を形成したものである。
【００６７】
この形態に合致するように、押え金具１６の形態も変更しており、この押え金具１６の形態は、前記第２実施形態のものと同様である。
これにより、この押え金具１６を利用して、枠部材１０、１０の下端の下方延長部１０ｓ、１０ｓを受け金具１４との間で挟持して固定することができるのである。
この状態を図５（Ｃ）においてよく見て取ることができる。
【００６８】
尚、この第３実施形態において、カバー部材２０及びジョイント部材２２を用いずに、受け金具１４の横断面形状を折板屋根Ｓの突条部の頂部山形形状に適合するように形成し、この受け金具１４を直接折板屋根の突条部に載置できるように形成することもできる。
この場合には、受け金具１４の両側の上向き延長部及びその根元部の形状を枠部材１０の下端部の形状と適合するように形成して受部と成し、同様に押え金具１６の形状も受け金具１４の両側の形状に適合するように形成して、受け金具１４と押え金具１６とにより両枠部材１０、１０の下端部である下方延長部１０ｓ、１０ｓを挟持しつつ固定することができる。
この構成を請求項８において特定しているが、その効果は、受け金具１４を屋根部に載置している関係上、点での支持で無く、面での支持となり、屋根部への荷重負担を軽減できることとなるのである。
【００６９】
以上、本発明の実施形態について説明したが、以下の通りその形態を種々設計変更することができる。
先ず、枠部材の略コ字形状の横断面形状においては、水平方向に延長する上方延長部の側縁部が下方に折曲していても良く、また下方の下方延長部が水平方向に延長するのではなく、斜め上方に、側面部と成す角度が鋭角となるように折曲するものであってもよい。
更に、この両枠部材は、左右対称ばかりでなく、上下対称に形成することも可能であり、このような形態とすることにより、両枠部材を連結部材により連結固定する際に、その上下の向きを問わずに組み立てることができ、組立作業、施工作業の効率化に寄与できる。
【００７０】
一対の枠部材を所定間隔で固定する連結部材も適宜設計変更することができ、要は両側の枠部材を所定間隔に維持して連結し固定できる構成のものであればよい。
この連結部材にあっては、各種の形態が考えられるが、上記実施形態の他に、バネ状部材を取り付けることにより、任意の幅寸法に伸縮自在となるような構成を採用することもできる。
【００７１】
カバー部材とジョイント部材は、必ずしも必須の構成要素ではなく任意のものであるが、折板屋根等に存在する剣先ボルト等の固定ボルトの螺子部が錆びていたり、損傷している場合等には、必要となるものである。
受け金具及び押え金具も、上下方向から両枠部材の下端の下方延長部を間に挟持して固定できるものであれば、上記実施形態以外のどのような形態のものであっても採用することができる。
【００７２】
一対の枠部材とこれを支持する受け金具においては、受け金具の両側を上向きに延長する上方延長部を設け、これらの両上方延長部が両枠部材の両側面部と接合して両枠部材を支持できるような構成とし、更に、これらの上方延長部と枠部材の側面部とを貫通するようにボルト・ナット等の固定手段を配設して両者を固定できるようにすることができる。
このような構成を採用することにより、一対の枠部材が受け金具上で滑動したり、移動したりすることを完全に防止することができるのである。
この構成を請求項１０で特定している。
【００７３】
以上、本発明においては、ソーラーパネル等の面状物品の架台となる縦桟又は横桟を構成する架台用桟として、被設置面に上向き固定ボルト等の存在するあらゆるタイプの被設置面に取り付け固定することができ、２分割された枠部材を連結部材により所望間隔に固定することができ、その重量をも低減させ、その取付態様においても適用範囲又は応用範囲が極めて広範で、著大な効果を発揮する面状物品の架台用桟を提供することができたものである。  
【符号の説明】
【００７４】
１０  枠部材
１０ｕ  上方延長部
１０ｓ  下方延長部
１０ｙ  側面部
１０ｍ  溝条部
１２  連結部材
１２ｓ  スペーサ部材
１４  受け金具
１４ｕ  上方延長部
１４ｓ  下方延長部
１４ｈ、１６ｈ、２０ｈ  挿通孔
１６  押え金具
１６ｓ  下向き延長部
２０  カバー部材
２２  ジョイント部材
２２ｈ  固定ボルト被覆部
２２ｓ  螺子棒
２２ｂ  凹部
２５  ナット部材
Ｂ  剣先ボルト
Ｓ  折板屋根
Ｔ  突条部  
【図１】
2014015794.tif 000003
【図２】
2014015794.tif 000004
【図３】
2014015794.tif 000005
【図４】
2014015794.tif 000006
【図５】
2014015794.tif 000007